(57)【要約】【課題】操作つまみの操作感触を向上できるロータリ式の電気スイッチを提供する。【解決手段】操作つまみ１２は、第１のケース２の開口部２ａから一部露出し、鍔部１２ｄが開口部２ａ内側面に係止して開口部２ａからの抜けを防止しつつ回動可能に配置される。このような第１のケース２の開口部２ａ内側面には、鍔部１２ｄとの接触面積を小とする先端がＲ形状の突起部２ｂが設けられる。【選択図】図１
2009016203.tif 000002
【特許請求の範囲】
【請求項１】
ケース部材に略円形状に形成された開口部から操作つまみの一部を露出させ、その操作つまみに設けた鍔部を開口部内側面に係止させて開口部からの操作つまみの抜けを防止しつつ回動可能に配置した構成のロータリ式の電気スイッチであって、
前記ケース部材の開口部内側面と前記操作つまみの鍔部との相互の対向部位の少なくとも一方に、接触面積を小とする突起部を設けたことを特徴とする電気スイッチ。
【請求項２】
請求項１に記載の電気スイッチにおいて、
前記突起部の先端がＲ形状とされていることを特徴とする電気スイッチ。
【請求項３】
請求項１または２に記載の電気スイッチにおいて、
前記突起部は、前記開口部の開口形状に倣って環状に設けられていることを特徴とする電気スイッチ。
【請求項４】
請求項１または２に記載の電気スイッチにおいて、
前記突起部は、所定の間隔にて複数設けられていることを特徴とする電気スイッチ。
【請求項５】
請求項１〜４のいずれか一項に記載の電気スイッチにおいて、
前記操作つまみの回動操作により照明の調光を行う調光スイッチであることを特徴とする電気スイッチ。
【発明の詳細な説明】
【技術分野】
【０００１】
本発明は、ロータリ式の電気スイッチに関するものである。
【背景技術】
【０００２】
従来、ロータリ式の電気スイッチとして例えば照明の調光レベルを可変とする調光スイッチがある。調光スイッチは、可変抵抗器を有し、その可変抵抗器の抵抗値を調光つまみの回動により変化させ、照明への供給電力を調整するものである。また、調光スイッチは、可変抵抗器を含む電気回路部品を収容するための最中合わせ一対のケース部材を有し、調光スイッチ取付時に露出する側の第１のケースに設けられる円形状の開口部から操作つまみを一部露出させている。操作つまみには円環状の鍔部が設けられており、第１のケースの内側から外側に向けて開口部を挿通され、鍔部が開口部内側面に係止することで、操作つまみの脱落が防止されている（例えば、特許文献１参照）。
【特許文献１】特開２００２−８４３１号公報
【発明の開示】
【発明が解決しようとする課題】
【０００３】
ところで、上述した電気スイッチとしての調光スイッチは、操作つまみのぐらつきを抑制させるため、第１のケースの開口部内側面に対し操作つまみの鍔部の対向面全体が接触する態様にて設けられている。そのため、操作つまみの回動操作時の摺接抵抗が大きくなり、このことが操作つまみの操作感触を損ねる要因となっていた。
【０００４】
本発明は、上記課題を解決するためになされたものであって、その目的は、操作つまみの操作感触を向上することのできるロータリ式の電気スイッチを提供することにある。
【課題を解決するための手段】
【０００５】
上記課題を解決するために、請求項１に記載の発明は、ケース部材に略円形状に形成された開口部から操作つまみの一部を露出させ、その操作つまみに設けた鍔部を開口部内側面に係止させて開口部からの操作つまみの抜けを防止しつつ回動可能に配置した構成のロータリ式の電気スイッチであって、前記ケース部材の開口部内側面と前記操作つまみの鍔部との相互の対向部位の少なくとも一方に、接触面積を小とする突起部を設けたことをその要旨とする。
【０００６】
この発明では、ケース部材の開口部内側面と操作つまみの鍔部との相互の対向部位の少なくとも一方に接触面積が小となる突起部を設けることで、操作つまみの回動操作時のケース部材との摺接抵抗を低減することができ、操作つまみの操作感触を向上することができる。
【０００７】
請求項２に記載の発明は、請求項１に記載の電気スイッチにおいて、前記突起部の先端がＲ形状とされていることをその要旨とする。
この発明では、突起部の先端をＲ形状とすることにより、操作つまみの鍔部とケース部材とが線または点接触となるため、操作つまみの操作感触をより向上することができる。
【０００８】
請求項３に記載の発明は、請求項１または２に記載の電気スイッチにおいて、前記突起部は、前記開口部の開口形状に倣って環状に設けられていることをその要旨とする。
この発明では、突起部を開口部の開口形状に倣って環状に設けることにより、操作つまみの操作感触を向上しつつケース部材の開口部を密閉でき、防塵性を向上できる。
【０００９】
請求項４に記載の発明は、請求項１または２に記載の電気スイッチにおいて、前記突起部は、所定の間隔にて複数設けられていることをその要旨とする。
この発明では、複数の突起部を所定間隔に設けることにより、相互間の接触面積をより小とでき、操作つまみの操作感触をより向上しつつ軽量化を図ることもできる。
【００１０】
請求項５に記載の発明は、請求項１〜４のいずれか一項に記載の電気スイッチにおいて、前記操作つまみの回動操作により照明の調光を行う調光スイッチであることをその要旨とする。
【００１１】
この発明では、操作つまみの操作感触を向上することのできる調光スイッチを提供できる。
【発明の効果】
【００１２】
従って、上記記載の発明によれば、操作つまみの操作感触を向上することのできるロータリ式の電気スイッチを提供することができる。
【発明を実施するための最良の形態】
【００１３】
以下、本発明を具体化した一実施の形態について説明する。
図１は、本実施形態を示すロータリ式電気スイッチとしての調光スイッチ１の断面図である。調光スイッチ１は、開口部を対向させた四角箱形状の一対のケース部材として第１及び第２のケース２，３を有しており、第１及び第２のケース２，３が係合することによって形成された第１及び第２のケース２，３内の収容部４に電気回路部品５が収容されている。電気回路部品５は、トライアック６、可変抵抗器７、コンデンサ８等が回路基板９上側に、コイル１０等が回路基板９下側にそれぞれ接続され、これら各素子にて調光回路１１が構成されている。電気回路部品５は、第１及び第２のケース２，３の開口部付近にその開口部を閉塞するようにして回路基板９が支持されており、回路基板９の下側のコイル１０等が第２のケース３に収容され、回路基板９の上側のトライアック６、可変抵抗器７、コンデンサ８等が第１のケース２に収容されている。
【００１４】
回路基板９の上側に配置される可変抵抗器７は、その回動軸７ａが第１のケース２の反開口部側の側壁中央に設けられる円形状の開口部２ａから突出するように備えられている。この回動軸７ａの先端は、断面Ｄ字状をなしており、その先端には操作つまみ１２が一体回転可能に取付られている。
【００１５】
操作つまみ１２は、有底円筒形状に形成されており、その上底部１２ａの中央内側には前記回動軸７ａの先端と一体回転するように連結するための嵌合筒部１２ｂが形成されている。この操作つまみ１２の嵌合筒部１２ｂには、可変抵抗器７の回動軸７ａが挿入嵌合されている。操作つまみ１２の嵌合筒部１２ｂの内側には、突出部１２ｃが設けられており、その突出部１２ｃと回動軸７ａの先端部７ｂとの間にスポンジ等の緩衝材１３が介在されている。
【００１６】
操作つまみ１２は、上底部１２ａ側が第１のケース２に設けられる円形状の開口部２ａを挿通させて第１のケース２から一部露出している。また、操作つまみ１２の上底部１２ａとは反対側の第１のケース２に収容されている操作つまみ１２の開口部側には円環状の鍔部１２ｄが設けられており、その鍔部１２ｄが第１のケース２の開口部２ａ内側面に係止することで、操作つまみ１２の脱落が防止されている。図２に示すように、この鍔部１２ｄと摺接する第１のケース２の開口部２ａ内側面には先端がＲ形状とされた突起部２ｂが１重環状に設けられている。
【００１７】
操作つまみ１２は、可変抵抗器７の回動軸７ａの先端と操作つまみ１２の突出部１２ｃとの間に介在した緩衝材１３の弾性力によって、鍔部１２ｄが突起部２ｂに押圧されている。このことにより、操作つまみ１２のぐらつきが抑制されている。更に、先端がＲ形状とされた突起部２ｂと操作つまみ１２の鍔部１２ｄとが線接触するため摺接面積が小さく操作つまみ１２の回動操作時における摺接抵抗が低減され、調光つまみ１２の操作感触の向上が図られている。
【００１８】
そして、操作つまみ１２を回動操作し可変抵抗器７の抵抗値を変化させてトライアック６を位相制御することで白熱灯１４への供給電力が制御される。また、可変抵抗器７は、電力供給のオン・オフさせるスイッチ機能も備えており、可変抵抗器７の回動軸７ａを操作つまみ１２により回動することによって、オン・オフ動作及び調光が行われる。
【００１９】
因みに、図３は、本実施形態の調光スイッチ１に備えられる調光回路１１を示す回路図である。
同図３に示した調光回路１１は、照明負荷である白熱灯１４、点灯スイッチ１５、及びトライアック６の直列回路が交流電源１６に接続されるとともに、そのトライアック６と並列に位相制御回路が備えられてなる。位相制御回路は、抵抗器１７と可変抵抗器７とコンデンサ８の直列回路がトライアック６に並列に接続されるとともにその可変抵抗器７及びコンデンサ８間の接続点とトライアック６のゲートとの間にダイアック１８が接続され、可変抵抗器７の抵抗値が調光つまみ１２の操作により変化するように構成されている。また、調光回路１１は、交流電源１６の電源ノイズを除去するためにコイル１０及びコンデンサ１９を用いたノイズ除去回路を有している。
【００２０】
操作つまみ１２の回動によって点灯スイッチ１５がオンされると、位相制御回路への交流電源の供給に基づきダイアック１８から可変抵抗器７及びコンデンサ８の時定数に基づくタイミングのトリガ信号がトライアック６のゲートに出力される。トライアック６は、トリガ信号の入力時からの半波期間オンし、そのオン期間中、白熱灯１４に点灯のための電力を供給する。そして、調光つまみ１２が操作されると、可変抵抗器の抵抗値が変化してトリガ信号の位相が変化し、トライアック６のオン期間が長短する。これにより、白熱灯１４への供給電力が変化し、明るさが変化するようになっている。
【００２１】
以上説明した本実施の形態によれば、以下に記載の作用効果を奏すことができる。
（１）本実施の形態では、第１のケース２の開口部２ａ内側面に、操作つまみ１２の鍔部１２ｄとの接触面積を小とする突起部２ｂを設けたことで、操作つまみ１２の回動操作時の摺接抵抗を低減することができ、操作つまみ１２の操作感触を向上することができる。また、先端がＲ形状の突起部２ｂであるため、突起部２ｂの先端が平面であるのに比べると線接触となって摺接抵抗を十分に低減でき、操作感触の向上を担っている。
【００２２】
（２）本実施の形態では、突起部２ｂを開口部２ａ内側面に環状に設けているため、操作つまみ１２の操作感触を向上しつつ、第１のケース２の開口部２ａを密閉でき、防塵性を向上することができる。
【００２３】
尚、本発明の実施の形態は、以下のように変更してもよい。
・上記実施の形態では、突起部２ｂを１重環状に設けているが、こうした構成に限らず、必要に応じて２重以上設けても良い。このような構成にすることで、調光スイッチ１としての耐久性を向上することができる。
【００２４】
また、図４に示すように所定間隔、例えば等間隔で突起部２ｃを複数設けても良い。このような構成にすることで、相互間の接触面積をより小とでき、操作つまみ１２の操作感触をより向上しつつ軽量化も図ることができる。
【００２５】
・上記実施の形態では、第１のケース２の開口部２ａ内側面に突起部２ｂを設けているが、図５に示すように操作つまみ１２の鍔部１２ｄに突起部１２ｅを設けても良い。また、第１のケース２の開口部２ａ内側面と操作つまみ１２の鍔部１２ｄの両方に設けても良い。
【００２６】
・上記実施の形態では、突起部２ｂの先端がＲ形状としたが、これに限らず、例えば尖状形状や極小平面としてもよい。即ち、摺接する突起部２ｂの先端の面積を小さくでき、これにより摺接抵抗を低減して操作つまみ１２の操作感触を向上することができる。
【図面の簡単な説明】
【００２７】
【図１】本実施の形態における調光スイッチの断面図である。
【図２】本実施の形態における第１のケースの斜視図である。
【図３】本実施の形態の調光スイッチに備えられる調光回路の回路図である。
【図４】別例における第１のケースの斜視図である。
【図５】別例における操作つまみの斜視図である。
【符号の説明】
【００２８】
１…調光スイッチ、２…ケース部材としての第１のケース、３…ケース部材としての第２のケース、２ａ…開口部、２ｂ…突起部、２ｃ…突起部、１２…操作つまみ、１２ｄ…鍔部、１２ｅ…突起部。
【図１】
2009016203.tif 000003
【図２】
2009016203.tif 000004
【図３】
2009016203.tif 000005
【図４】
2009016203.tif 000006
【図５】
2009016203.tif 000007